(57)【要約】【課題】  共同受信機器を造営材に対して設置する作業において、共同受信機器の取付位置や、接栓座に接続する同軸ケーブルの配線プランを自由に選定することができるようにする。【解決手段】  ケースの周面には、ケースの軸心方向に向けて複数の接栓座を突出方向を揃えて列設し、ケースの両端部には対接部を具備させ、造営材に固着させる為の装着部を夫々具備している二つの取付部材には、の合着部を具備させ、ケースの両側の対接部と取付部材の合着部との間には、夫々上記ケースと上記取付部材との相対的な回動を可能にする為の回動軸部を設け、ケースの対接部と上記取付部材の合着部には、ケースの回動の軸心を中心にしてケースと取付部材とを相対回動させた場合において、回動方向において任意選択された複数箇所において夫々嵌合固定できるようにした嵌合部、係止部を夫々設けるようにした。【選択図】    図１
2006147310.tif 000002
【特許請求の範囲】
【請求項１】
内部に電子回路を納めるようにした筒状のケースの周面には、上記ケースの軸心方向に向けて複数の接栓座を突出方向を揃えて列設し、
上記ケースの両端部には取付部材の合着部を対接させる為の対接部を具備させ、
一方、造営材に固着させる為の装着部を夫々具備している二つの取付部材には、上記ケースの両端部に備えさせる対接部に夫々合着させる為の合着部を具備させ、
さらに、上記取付部材と上記ケースとは、上記接栓座の突出方向が上記ケースを設置すべき面に直交した方向から、上記ケースを設置すべき面に並行配置される間の任意の位置に回転自在に固定可能としたことを特徴とする共同受信機器。
【請求項２】
内部に電子回路を納めるようにした筒状のケースの周面には、上記ケースの軸心方向に向けて複数の接栓座を突出方向を揃えて列設し、
上記ケースの両端部には取付部材の合着部を対接させる為の対接部を具備させ、
一方、造営材に固着させる為の装着部を夫々具備している二つの取付部材には、上記ケースの両端部に備えさせる対接部に夫々合着させる為の合着部を具備させ、
さらに、上記ケースの両側の対接部と上記取付部材の合着部との間には、夫々上記ケースと上記取付部材との相対的な回動を可能にする為の回動軸部を設け、
上記ケースの対接部と上記取付部材の合着部には、上記ケースの回動の軸心を中心にして上記ケースと上記取付部材とを相対回動させた場合において、回動方向において任意選択された複数箇所において夫々嵌合固定できるようにした嵌合部、係止部を夫々設けることを特徴とする共同受信機器。
【請求項３】
上記回動軸部には、付勢部材を具備させ、常態においては上記取付部材における合着部を上記ケースにおける対接部方向へ付勢させるようにしたことを特徴とする請求項２記載の共同受信機器。
【発明の詳細な説明】
【技術分野】
【０００１】
本発明は、複数の入出力用接栓座を有する共同受信機器に関する。
【背景技術】
【０００２】
従来の共同受信機器、例えば特許文献１の第２図に示される分配器1-1は、ケース２内に分配回路を収納し、この分配回路に接続された複数の入出力用接栓座３をケース２の上面と下面に突設させ、さらに上記ケース２の両側端背面部には上記ケース２を壁面等の造営材に対して取付ける為の取付板20を突設させていた。
よって、分配器１−１を壁面に取り付けた際、取付板20を突設させたので接栓座と壁面との間隔をとることができ、接栓座と接栓との接続作業が容易に行うことができる特長がある。（例えば、特許文献１参照）
【０００３】
【特許文献１】実開昭５８−５０７２４号公報
【発明の開示】
【発明が解決しようとする課題】
【０００４】
しかし、この従来の分配器では、ケースの厚みを小さくする為に複数の入出力用接栓座３がケース２の上面と下面とに分かれて突設させてあるので、夫々の接栓座に接続された同軸ケーブルを好みの方向に向けて配設するためには、同軸ケーブルの最小曲げ半径を考慮しながら曲げて配設しなければならず、分配器の周辺には同軸ケーブルを曲げて配線するだけのスペースが必要となり、設置面を占める割合が大きくなる問題点があった。
さらに、分配器が造営材へ設置された状態においては、接栓座に接続された同軸ケーブルは、分配器の上下方向に分かれて配設されるので、ケーブルの配線が雑然としてしまい、美感に欠ける問題点があった。
【０００５】
本件出願の目的は、共同受信機器１を造営材に対して設置する作業において、共同受信機器１の取付位置や、接栓座10に接続する同軸ケーブルの配線プランを自由に選定することができる共同受信機器を提供しようとするものである。
他の目的は、共同受信機器１における接栓座１０の突出方向を簡易な操作のみで任意の方向へ調整することができる共同受信機器を提供しようとするものである。
他の目的は、共同受信機器１が造営材へ設置された状態においては、複数の接栓座10に接続された同軸ケーブルは一列に整然と並ぶようにして、見栄えの良い共同受信機器を提供しようとするものである。
他の目的及び利点は図面及びそれに関連した以下の説明により容易に明らかになるであろう。
【課題を解決するための手段】
【０００６】
本願発明における共同受信機器は、内部に電子回路を納めるようにした筒状のケース２の周面５には、上記ケース２の軸心方向に向けて複数の接栓座10を突出方向を揃えて列設し、上記ケース２の両端部６には取付部材15の合着部16を対接させる為の対接部７を具備させ、一方、造営材に固着させる為の装着部18を夫々具備している二つの取付部材15には、上記ケース２の両端部に備えさせる対接部７に夫々合着させる為の合着部16を具備させ、さらに、上記取付部材15と上記ケース２とは、上記接栓座の突出方向が上記ケース２を設置すべき面に直交した方向から、上記ケース２を設置すべき面に並行配置される間の任意の位置に回転自在に固定可能としたものである。
【０００７】
また好ましくは、内部に電子回路を納めるようにした筒状のケース２の周面５には、上記ケース２の軸心方向に向けて複数の接栓座10を突出方向を揃えて列設し、上記ケース２の両端部６には取付部材15の合着部16を対接させる為の対接部７を具備させ、一方、造営材に固着させる為の装着部18を夫々具備している二つの取付部材15には、上記ケース２の両端部に備えさせる対接部７に夫々合着させる為の合着部16を具備させ、さらに、上記ケース２の両側の対接部７と上記取付部材15の合着部16との間には、夫々上記ケース２と上記取付部材15との相対的な回動を可能にする為の回動軸部20を設け、上記ケース２の対接部７と上記取付部材15の合着部16には、上記ケース２の回動の軸心を中心にして上記ケース２と上記取付部材15とを相対回動させた場合において、回動方向において任意選択された複数箇所において夫々嵌合固定できるようにした嵌合部８、係止部17を夫々設けるものであればよい。
【０００８】
また好ましくは、上記回動軸部20には、付勢部材23を具備させ、常態においては上記取付部材15における合着部16を上記ケース２における対接部７方向へ付勢させるようにするものであればよい。
【発明の効果】
【０００９】
以上のように本願発明は、共同受信機器１を造営材に対して設置する作業において、接栓座１０の突出方向を取付部材15に対しては、どちらの向きにでも相対回動できるようにして、突出方向を自由に設定できるような構成にしてあるので、設置作業者は、共同受信機器１の取付位置や、接栓座10に接続する同軸ケーブルの配線プランを自由に選定することができる特長がある。
そして、配線プランを決定した後は、接栓座１０の突出方向を要望に応える方向へ自由に調節して共同受信機器１を要望通りに設置することができる作業上の効果がある。
【００１０】
さらに本願発明は、上記のように接栓座10の突出方向を上記のように自由に設定できるものであっても、共同受信機器１における接栓座１０の突出方向を希望の方向へ調節する作業は、構成において、共同受信機器１におけるケース２の回動の軸心を中心にしてケース２と取付部材15とを相対回動させて、回動方向において任意選択された複数箇所において夫々嵌合固定できるようしたものであるから、設置作業者は、簡易な操作のみで変角調節でき、迅速かつ容易に接栓座１０の突出方向の角度調整をすることができる作業上の効果がある。
【００１１】
さらに本願発明は、共同受信機器１が造営材へ設置された状態においては、共同受信機器１のケース２の軸心方向に向けて複数の接栓座10を突出方向を揃えて列設したものであるので、複数の接栓座10に接続された同軸ケーブルは一列に整然と並んでおり、配線プラン通りにスッキリとした配線をすることができる美観上の効果がある。
【発明を実施するための最良の形態】
【００１２】
以下本願発明の実施の形態を示す図面について説明する。図１乃至図７において、１は共同受信機器で、例えば分岐器／分配器を示し、２は内部に電子回路（図示は省略）を納めるようにした筒状のケースを示す。
上記ケース２は、夫々任意の金属材料例えばアルミダイカストで形成されている本体３と蓋体４とで構成され、これらは、任意の固着手段、例えばねじ止め、嵌着、圧入等で着脱自在に固着させてある。
10は、上記ケース２の周面５、５、５、５の内の一面５に備えさせた周知の接栓座を示し、図１によく示されるように上記ケース２の軸心方向に向けて複数の接栓座10ａ〜10ｅの突出方向を揃えて列設させてある。
７は、取付部材15の合着部16を対接させる為の対接部を示し、上記ケース２の両端部６、６に具備させてある。
８は上記対接部７、７に夫々設けられた嵌合部を示す。
上記嵌合部８は、図２〜図４によく示されるように対接部７に対して有底又は貫通孔でもって凹状に形成し、上記ケース２の回動軸心22を中心にして角度45度の等間隔で８個所８ａ〜８ｈ形成させてある。
なお、上記ケース２の形状について四角柱のものを示したが、多角柱、円柱に構成させたものであってもよい。
【００１３】
15、15は上記ケース２の両側に配置させた二つの取付部材を示す。
18は、造営材に固着させる為の装着部を示し、造営材に対して取付孔18a、18aを介して周知の固着手段、例えば木ねじ、ボルト等で固着するように形成させている。
16は、上記ケース２の対接部７に合着させる為の合着部を示す。
17は、上記合着部16に設けられた係止部を示す。
上記係止部17は、図２〜図４によく示されるように上記合着部16に対して凸状で上記嵌合部８ａ〜８ｈに嵌入して係止可能となる形状に形成し、上記ケース２の回動軸心22を中心にして１又は２個所17ａ、17ｂ（以上）に配設させてある。
なお、上記嵌合部８及び上記係止部17の数と間隔（角度θ）は、上記ケース２の回動の軸心22を中心にして上記ケース２と上記取付部材15とを相対回動させた場合において、回動方向において任意選択された複数箇所において夫々嵌合固定できるように相対的に決定すればよく、接栓座10の突出方向を変角させたい角度に対応させて任意選択的に増減すればよい。
さらに、上記ケース２における嵌合部８及び取付部材15における係止部17については、嵌合部８を凹状とし、係止部17を凸状としたものについて説明したが、相互に嵌合固定できるように形成させたものであれば良く、嵌合部８を凸状、係止部17を凹状にしても、或は、夫々を鋸歯状に形成して相互に噛みあわせるように構成しても良い。
【００１４】
20は、上記ケース２と上記取付部材15との相対的な回動を可能にする為の回動軸部としてのネジを示し、上記ケース２の両側の対接部７と上記取付部材15の合着部16との間に夫々設けてある。
上記ネジ20は、図２によく示されるように、元部側を上記ケース２における透孔９の内に位置させ、取付部材15における挿通孔19に貫通させ、さらに上記ネジ20が上記透孔９から抜けないように、一端20ａを上記ケース２における対接部７側に密着固定させてある。
上記ネジ20の頸部の長さは、図２（Ｂ）に示されるように、上記ケース２における嵌合部８と、取付部材15における係止部17との嵌合が離れ、ケース２と取付部材15とが相対回動が可能になるような長さに構成させてある。
【００１５】
23は、取付部材15における合着部16をケース２における対接部７方向へ付勢する為の付勢部材としてのバネを示す。
上記バネ23は、図２によく示されるように上記回動軸部20の頸部にあって他端（頭部）20ｂと、バネを収容する為の収容穴24における穴底24ａの間に配置させてある。
なお、二つの取付部材15、15が、造営材に固着されることを考えると付勢部材23は配置させなくても良く、任意選択的にすればよい。
さらに、図１における右側の端部６と、取付部材15との構成は、図１、図２に示される左側の構成と対称的に構成させるとよい。しかし、上記ケース２と上記取付部材15とは相対的に回動自在であればよいので、嵌合部８と係止部17を設けない構成であってもよい。
【００１６】
接栓座10ａを入力端子、接栓座10ｂ〜10ｅを出力端子とする場合には、ケース２の周面５、５、５、５に目印、例えば図１に示されるような溝11を設けておくと、同軸ケーブルの接続作業において、特に取付場所が狭い場合や暗い場所で作業する場合において、入力端子と出力端子との区別がつきやすく、接続ミスを防止できる。
【００１７】
上記構成の分岐器／分配器１を造営材に対して設置する方法及び使用状態について説明する。
まず、設置作業者は、テレビ端子の位置、接続しようとする機器（例えばテレビ、ビデオデッキ、ＤＶＤレコーダ）の位置やその入力端子の方向などに基づき、分岐器／分配器１の造営材に対する取付位置や、接栓座10に接続する同軸ケーブルの配線プランを想定する。
【００１８】
次に、想定した配線プランに対応するように、接栓座10の突出方向を調節する。その調節方法は、次のようにすればよい。
まず、ケース２と、二つの取付部材15の内の一方の取付部材15（図１の左側）を夫々手で掴み、図２（Ａ）における矢印25方向へ取付部材15を引張る。
すると、ケース２の対接部７と取付部材15の合着部16とが図２（Ｂ）のように離れ、嵌合部８と係止部17との嵌合も離れる。引続きその状態でケース２と取付部材15とを相対回動させ、取付部材15に対する接栓座10の突出方向を好みの（決定した配線プランに対応する）角度になるまで回動させる。
回動完了後は、取付部材15を図２（Ａ）における矢印25の反対方向へ動かし、ケース２における嵌合部８と取付部材15における係止部17とを嵌合固定させる。
上記嵌合位置としては、例えば、接栓座10の突出方向を図４（Ａ）に示されるように調節したい場合は、嵌合部８ｄ、８ｈに対して夫々係止部17ａ、17ｂを嵌合固定させればよい。
さらに、他方（図１の右側）の取付部材15についても同様に調節する。
但し、図１における右側の端部６と取付部材15との構成が、嵌合部８と係止部17を設けない構成である場合には、他方（図１の右側）の取付部材15についての調節作業は不要となる。
この調節作業においては、作業者は  何ら工具を用いることなく、簡易な操作のみで変角調節でき、迅速かつ容易に接栓座10の突出方向の角度調整をすることができる。
なお、付勢部材23を配置させた場合は、取付部材15から手を離すと、図２（Ｂ）から明らかなように付勢部材23の付勢力により、取付部材15は矢印26方向に移動し、図２（Ａ）のように嵌合部８と係止部17とを嵌合固定させる。
【００１９】
次に、分岐器／分配器１を造営材に対して固着する。
その固着方法は、接栓座10が取付予定位置にくるように、ケース２を造営材に当て付け、上記装着部18における装着孔18ａを用いて造営材に対してネジ止め（ボルト止め）して固着する。
固着作業をする場合、上記装着部18を備える取付部材15が、上記ケース２に対して上記回動軸部20でもって接続一体化されているので、取扱いが便利で、取付位置の確認、決定が容易である。
次に、同軸ケーブルを分岐器／分配器１の接栓座10ａ〜10ｅに夫々接続する。
その場合、造営材に固着された分岐器／分配器１における接栓座10ａ〜10ｅの突出方向は配線プランに基づき、好みの方向に向いているから、それらに接続する同軸ケーブルも配線プランの要望に基づく向きに無理なく伸びることになり、接続作業は容易となり、完成状態は綺麗になる。
【００２０】
分岐器／分配器１が造営材へ設置された状態においては、上記ケース２は、両側の取付部材15、15に挟まれ、上記ケース２と取付部材15とは一体的に合着し、丈夫になる。
さらに、上記分岐器／分配器１のケース２の軸心方向に向けて複数の接栓座10ａ〜10ｅを突出方向を揃えて列設したものであるので、それらに接続された同軸ケーブルは一列に整然と並んでおり、配線プラン通りにスッキリと見栄え良く配線をすることができる。
なお、分岐器／分配器１を取付ける場所が狭く作業がしにくい場合は、現場状況に応じて、接栓座10の突出方向を好みの方向に調節することと、同軸ケーブルを分岐器／分配器１の接栓座10ａ〜10ｅに夫々接続することを、相前後して行い、その後分岐器／分配器１を造営材に対して固着させると、接栓座10に対するケーブル接続作業が楽になる。
【００２１】
上記構成の分岐器／分配器１につき、造営材へ設置した後に、接続機器の変更、交換、配置変更によってケーブルの配置が変る場合の接栓座10の突出方向を変更する場合について説明する。
まず、二つの取付部材15、15の内、片方の取付部材15（例えば図１における左側の取付部材15）の上記装着部18に装着した造営材取付用のネジを取外す。
その取付部材15を矢印25方向へ引張って、図２（Ｂ）のようにケース２と、取付部材15とを離す。
さらに矢印25方向へ引張って、もう一方の（造営材に固着されたままの）取付部材15における係止部17とケース２における嵌合部８との嵌合も外す。
次に、ケース２を掴んで、接栓座10の突出方向を好みの角度になるように回動させ、その後ケース２の両側の対接部７、７と二つの取付部材の合着部16、16とを夫々合着し、ケース２における嵌合部８と取付部材15における係止部17とを嵌合固定させ、取付部材15を造営材にネジで固着する。
このように、最初に分岐器／分配器１を造営材に対して設置した後に、ケーブルの引き延し方向のレイアウトの変更があっても、接栓座10の突出方向を少ない工数で変更して、要望に応えることができる。
【００２２】
次に、図１〜図４に示される構成のものとは、取付部材15とケース２の間に設けた回動軸部20の構成の点において異なる例を示す図５について説明する。
20ｊは、上記ケース２ｊと上記取付部材15ｊとの相対的な回動を可能にする為の回動軸部としての筒状のホルダーを示し、図５に示されるように取付部材15ｊと一体的に構成させてある。なお必要に応じて、対接部７ｊと合着部16ｊとの間に一対の嵌合部８、係止部17を備えさせ、図１のケース２と同様にケース２を任意の角度に回動固着できるようにするとよい。
なお、図５において前述の図１〜図４のものと機能、性質又は特徴等が同一又は均等構成と考えられる部分には、前述の図１〜図４と同一の符号にアルファベットのｊを付して重複する説明を省略する。（また次図以降のものにおいても順次同様の考えで、前述の図１〜図４と同一の符号にアルファベットのｋを順に付して重複する説明を省略する。）
【００２３】
次に、図１〜図４に示される構成のものとは、取付部材15における長さ（図２における符号Ｌ１で示す長さ）を短くした点において異なる例を示す図６、図７について説明する。
15ｋは取付部材を示し、ケース２ｋの周面５ｋ、５ｋ、５ｋ、５ｋと同じ周面になるように形成させてある。
18akは取付部材15ｋを造営材に固着させる為の取付孔を示し、造営材に対して周知の固着手段、例えば木ねじ、ボルト等で固着できるように形成させている。
上記構成のものにあっては、分岐器／分配器１を造営材に対して設置した状態において、造営材から突出する寸法はケース２の同じ長さＬ２で済み、
分岐器／分配器１を造営材に対してピッタリとフィットさせて設置することができる。
【図面の簡単な説明】
【００２４】
【図１】共同受信機器を説明する為の斜視図。
【図２】図１におけるII−II線断面図で一部破断して示す図で、（Ａ）はケースと取付部材とが合体した状態を説明する為の図、（Ｂ）はケースと取付部材とが離れた状態を説明する為の図。
【図３】（Ａ）は図１における符号Ｉ方向から取付部材を見た図で、取付部材と係止部と装着部と回動軸部等を説明する為の図、（Ｂ）は図１における符号Ｉ方向からケースを見た図で、対接部と嵌合部等を説明する為の図。
【図４】図１における符号Ｉ方向から見た接栓座の突出方向の調節を説明する為の図で、（Ａ）は係止部17ａと嵌合部８ｄ、係止部17ｂと嵌合部８ｈとが夫々嵌合した状態の図、（Ｂ）は係止部17ａと嵌合部８ｃ、係止部17ｂと嵌合部８ｇとが夫々嵌合した状態の図。
【図５】図１〜図４における回動軸部20とは構成の異なる例を説明する為の一部破断して示す断面図。
【図６】図１〜図４における取付部材15とは構成の異なる例を説明する為の斜視図。
【図７】図６における符号VII方向から見た接栓座の突出方向の調節を説明する為の図で、（Ａ）は係止部17akと嵌合部８ck、係止部17bkと嵌合部８gkとが夫々嵌合した状態の図、（Ｂ）は係止部17akと嵌合部８ek、係止部１７bkと嵌合部８akとが夫々嵌合した状態の図。
【符号の説明】
【００２５】
１・・・共同受信機器、分岐器／分配器、２・・・ケース、３・・・本体、４・・・蓋体、５・・・周面、６・・・両端部、７・・・対接部、８・・・嵌合部、９・・・透孔、１０・・・接栓座、１５・・・取付部材、１６・・・合着部、１７・・・係止部、１８・・・装着部、18ａ・・・装着孔、２０・・・回動軸部、20ａ・・・一端、20ｂ・・・他端、２３・・・付勢部材、２５，２６・・・矢印
【図１】
2006147310.tif 000003
【図２】
2006147310.tif 000004
【図３】
2006147310.tif 000005
【図４】
2006147310.tif 000006
【図５】
2006147310.tif 000007
【図６】
2006147310.tif 000008
【図７】
2006147310.tif 000009